(57)【要約】【課題】  上半身支持床が起立可能な起床（リクライニング）式ベッドにおいて、上半身支持床の起立時に枕が上半滑支持床に沿って滑り落ちないようにするための枕保持構造として、枕を所望の範囲内で移動可能なものを提供する。【解決手段】  枕１６を被覆する筒状の枕カバー１７に、紐通し穴１９付きの耳形の紐掛け１８を設けるとともに、ベッド１１の上半身支持床１２のヘッド側エッジ部に、Ｔ形の紐掛け２０を取付け、枕カバー１７の紐掛け１８の紐通し穴１９に、復線的にのびるループ状の伸縮性の紐材２６を、その中央部まで挿通した後、上半身支持床１２の紐掛け２０に向かって折り返して、両端相当部を紐掛け２０の軸部に掛け止める。【選択図】        図１
2005287545.tif 000002
【特許請求の範囲】
【請求項１】
筒状の枕カバーを、紐材を介して、ベッドの上半身支持床又はベッド支持枠のヘッド側エッジ部に連結してなる、起床式ベッドにおける枕保持構造。
【請求項２】
紐材が伸縮性である、請求項１記載の起床式ベッドにおける枕保持構造。
【発明の詳細な説明】
【技術分野】
【０００１】
この発明は、上半身支持床を適宜の角度起立可能に構成した起床式（リクライニング式）のベッドにおいて、上半身支持床の起立時に、枕が上半身支持床に沿って滑り落ちないように保持するための構造（方式）の改良に関するものである。
【背景技術】
【０００２】
この種の枕保持構造のうち、比較的構造が簡単なものとしては、上半身支持床を構成するマット（マットレス）上の床敷き材（シーツ、敷布団など）の枕設置部と枕に、雌雄の面ファスナーを取付け、面ファスナー相互の接合によって、枕をシート形敷き材上に保持するものや、マットに凹部を設け、凹部に対する枕の装着によって、枕をマットに保持するものが知られている（例えば、特許文献１及び２参照）。
【０００３】
しかしこれらの公知の枕保持構造は、いずれも枕を上半身支持床に移動不能に固定するため、頭部の枕に対する当接位置を変えるには、頭又は上半身を動かさなければならず、特に上半身が不自由な人にとっては苦痛を伴うという難点がある。
【特許文献１】特許第２７７０８７２号公報
【特許文献２】特開平５−３１７３６７号公報
【発明の開示】
【発明が解決しようとする課題】
【０００４】
この発明は、公知のものに認められる上記のような難点に鑑み、起床式ベッドにおける枕保持構造として、枕を相当の範囲内で移動自在なものを提供することを課題としている。
【課題を解決するための手段】
【０００５】
この発明によれば、上記の課題は、特許請求の範囲の請求項１に記載のように、筒状の枕カバーを、紐材を介して、ベッドの上半身支持床又はベッド支持枠のヘッド側エッジ部に連結してなる起床式ベッドにおける枕保持構造によって解決する。
【０００６】
この発明に係る枕保持構造における紐材としては、ループ形（無端形）や直形（非ループ形）を問わず、紐類、ベルト類、バンド類、テープ類などを用いることができるが、特に、特許請求の範囲の請求項２に記載のごとく、ゴム紐などの伸縮性のものを用いることが望ましい。
【０００７】
筒状の枕カバーとベッドの上半身支持床又はベッド支持枠のヘッド側エッジ部との紐材を介した連結は、紐材としてループ形を用いる場合には、枕カバーに耳形、ループ形、ゲート形（アーチ形、ブリッジ形等）などの紐通し穴付きの紐掛けを取付ける一方、上半身支持床やベッド支持枠のヘッド側エッジ部に、押えねじ形、Ｔ形やフック形などの紐掛けを取付け、復線的にのびる紐材を枕カバーの紐掛けの紐通し穴に掛け止めて、上半身支持床やベッド支持枠の紐掛けに向かって折り返した後、紐材の両端相当部を押えねじ類の軸部に引掛けた状態で締め付けたり、単にＴ形やフック形などの紐掛けの軸部に掛け止めるなどの形態で行うことができる。
【０００８】
また直形を用いる場合には、枕カバーに上記と同様に紐通し穴付きの紐掛けを設けるとともに、ベッドの上半身支持床やベッド支持枠のヘッド側エッジ部にも、紐通し穴付きの紐掛けを付設し、かつ紐材の各端部に、長さ方向に間隔をおいて、雌雄の面ファスナーやボタンとボタン穴まどの一対の止め具を取付け、各端部を、枕カバーの紐掛けとベッドの紐通し穴とベッド支持枠の紐掛けの紐通し穴を通して巻き掛けた後、一対の止め具で止めるほか、枕カバーと紐材の連結端部に、雌雄一対の面ファスナーや、永久磁石（マグネット）と磁性材を取り付けて、両者を接合したり、ベッド支持枠のヘッド側エッジ部が磁性材の場合には、紐材の連結端部に永久磁石を取り付けて接合したり、ベッド支持枠のヘッド側エッジ部が非磁性材製の場合には、該部に磁性材を取付けて、紐材に取り付けた永久磁石と接合するなどの形態で行うことができる。
【発明の効果】
【０００９】
特許請求の範囲の請求項１の発明によれば、枕は、紐材を介して、ベッドの上半身支持床又はベッド支持枠のヘッド側エッジ部に繋がるので、上半身支持床の起立時における枕のずり落ちの防止作用が奏される一方、枕は相当の範囲にわたって移動させることができるので、頭部を含む上半身を移動させずに、頭部の当接位置を変えることができる。
【００１０】
また特許請求の範囲の請求項２に記載の発明、すなわち伸縮性の紐材によれば、枕の移動範囲を広げることができる。
【発明を実施するための最良の形態】
【００１１】
以下図面に基づいて、この発明に係る枕保持構造の幾つかの実施形態について説明する。
【００１２】
まず図１〜図４に示す形態は、紐材としてループ形の伸縮性のものを用いる場合の例で、枕１６を被覆する筒状の枕カバー１７に、左右一対の紐通し穴１９付きの耳形の紐掛け１８を設けるとともに、ベッド１１の床敷き材１３を敷く上半身支持床１２のヘッド側エッジ部に、左右一対のＴ形の紐掛け２０を取付け、枕カバー１７の各紐掛け１８の紐通し穴１９に、各紐材２６を、その中央部まで挿通した後、各紐掛け２０に向かって折り返して、両端相当部を各紐掛け２０の軸部に掛け止めた構造からなっている。
【００１３】
この形態では、床敷き材１３上の枕１６は、枕カバー１７と伸縮性のループ状の紐材２２６介したベッド１１の上半身支持床１２に対する連結により、上半身支持床１２の起立時にも所定の部位内に保持される一方、上下左右の相当の範囲内を随意に移動させることができる。
【００１４】
図５と図６に示す形態も、ループ形の伸縮性の紐材を用いるもので、上記の形態と同じように、筒状の枕カバー１７に、左右一対の紐通し穴１９付きの耳形の紐掛け１８を設ける一方、ベッド支持枠１４のヘッド枠１５の上方部のエッジ部に、左右一対の押えねじ形の紐掛け２１（特に図６参照）を取付け、枕カバー１７の各紐掛け１８の紐通し穴１９に、ループ形の各紐材２６を、その中央部まで挿通し、該部から各紐掛け２１に向かって折り返した両端相当部を、各紐掛け２１の軸部に掛け止めた後、締め付けたものである。
【００１５】
この形態でも、枕カバー１７と伸縮性の紐材２６を介したベッド枠１５に対する連結により、枕１６は、上半身支持床１２の起立時にも、所定の部位内に保持される一方、広範囲にわたって任意に移動可能である。
【００１６】
次に図７と図８は、それぞれ直形の伸縮性の紐材を用いる場合における枕カバー部と、ベッド１１の上半身支持床１２又はベッド支持枠１５のヘッド枠のヘッド側エッジ部における紐の掛止め状態を例示したもので、枕カバー１７とベッド１１の上半身支持床１２又はベッド支持枠１５のヘッド側エッジ部に、ループ形の紐掛け２２、２３を取付け、端部に長さ方向に間隔をおいて雌雄の面ファスナー２４、２４を取付けた直形の伸縮性の紐材２６の端部を、紐掛け２２，２３に通した後、対向する雌雄の両面ファスナー２４、２４を接合して掛け止める構造である。
【００１７】
また図９は、直形の伸縮性紐材を用いる場合における紐材の端部と枕カバーとの連結状態を示したもので、枕カバー１７に雌雄の一方の面ファスナー２４を取付けた耳形の紐止め２５を設けるとともに、紐材２６の端部に、雌雄の他方の面ファスナー２４を取付け、雌雄の両面ファスナー２４、２４の接合を介して連結する構造である。
【００１８】
この発明はこのほか種々の形態で実施することができるもので、上記の形態に限定されるものでないことはもちろんである。
【図面の簡単な説明】
【００１９】
【図１】この発明に係る枕保持構造のループ形紐材を用いる場合の一実施形態の上半身支持床の起立時における要部の略側面図である。
【図２】図１に示す実施形態の上半身支持床の横臥時における要部の略平面図である。
【図３】図１に示す実施形態の枕カバーの紐掛けに対する紐材の掛け止め状態を示す拡大略斜視図である。
【図４】図１に示す実施形態のベッドの上半身支持床のヘッド側エッジ部の紐掛けに対する紐材の掛け止め状態を示す拡大略斜視図である。
【図５】ループ形紐材を用いる場合の別の実施形態の上半身支持床の起立時における要部の略側面図である。
【図６】図５に示す実施形態のベッド支持枠のヘッド枠のヘッド側エッジ部の紐掛けに対する紐材の掛け止め状態を示す拡大略斜視図である。
【図７】直形紐材を用いる場合の形態における枕カバーの紐掛けに対する紐材の掛け止め状態を示す拡大略側面図である。
【図８】直形紐材を用いる場合の形態におけるベッドの上半身支持床又はベッド支持枠のヘッド枠の紐掛けに対する紐掛け状態を示す拡大略側面図である。
【図９】直形紐材を用いる場合の形態におけるカバーの紐止めに対する紐材の連結状態を示す拡大略側面図である。
【符号の説明】
【００２０】
１１  ベッド
１２  上半身支持床
１３  床敷き材
１４  ベッド支持枠
１５  ヘッド枠
１６  枕
１７  枕カバー
１８  耳形の紐掛け
１９  紐通し穴
２０  Ｔ形の紐掛け
２１  押えねじ形の紐掛け
２２  ゲート形の紐掛け
２３  ゲート形の紐掛け
２４  面ファスナー
２５  耳形の紐止め
２６  紐材
【図１】
2005287545.tif 000003
【図２】
2005287545.tif 000004
【図３】
2005287545.tif 000005
【図４】
2005287545.tif 000006
【図５】
2005287545.tif 000007
【図６】
2005287545.tif 000008
【図７】
2005287545.tif 000009
【図８】
2005287545.tif 000010
【図９】
2005287545.tif 000011